(57)【要約】      （修正有）【課題】箱形の容器に盛込まれた内容物に被せられ端部が容器に貼着される包装用フィルムについて、手動での包装作業を容易にする包装用フィルムを提供する。【解決手段】容器の外側面に当接される両端縁に粘着材２が帯状に積層されロール状に巻回されている。粘着材２は、内側部分２２と外側部分２１とに分離されている。粘着材２の内側部分２２は、ロールからの引出し方向と直交する幅方向に切断される切断端１２付近に両端縁の縁辺１１よりも幅方向に６〜８ｍｍの間隔を介して配置されている。粘着材２の外側部分２１は、内側部分２２の間に両端縁の縁辺１１よりも幅方向に１〜２ｍｍの間隔を介して配置されている。【選択図】図１
0003201663.tif 000002
【実用新案登録請求の範囲】
【請求項１】
容器の外側面に当接される両端縁に粘着材が帯状に積層されロール状に巻回された包装用フィルムにおいて、粘着材は内側部分と外側部分とに分離され、粘着材の内側部分はロールからの引出し方向と直交する幅方向に切断される切断端付近に両端縁の縁辺よりも幅方向に６〜８ｍｍの間隔を介して配置され、粘着材の外側部分は内側部分の間に両端縁の縁辺よりも幅方向に１〜２ｍｍの間隔を介して配置されていることを特徴とする包装用フィルム。
【請求項２】
請求項１の包装用フィルムにおいて、粘着材は内側部分と外側部分との少なくとも一部が縁辺と平行な共通線上に配置されていることを特徴とする包装用フィルム。
【請求項３】
請求項１または２の包装用フィルムにおいて、粘着材の内側部分はロールからの引出し方向の前方側の切断端寄りに積層が欠除された欠落部分が設けられていることを特徴とする包装用フィルム。
【考案の詳細な説明】
【技術分野】
【０００１】
本考案は、箱形の容器（トレイ）に盛込まれた内容物に被せられ端部が容器に貼着される包装用フィルムに係る技術分野に属する。
【背景技術】
【０００２】
最近、包装用フィルムとしては、包装作業の迅速化を図るために、容器の外側面に当接される両端縁に予め粘着材を積層させたものが提供されている。さらに、包装作業の連続化，自動化を図るために、粘着材の積層面の反対側面に剥離剤を積層してロール状に巻回させたものも提供されてきている。
【０００３】
粘着材が積層された包装用フィルムでは、手動，自動のいずれの包装作業においても、粘着材が手指や包装装置の一部に不測に接着してしまうことがある。このため、粘着材の積層領域に改良を加えることが行われている。
【０００４】
従来、粘着材の積層領域に改良を加えた包装用フィルムとしては、例えば、特許文献１に記載のものが知られている。
【０００５】
特許文献１には、容器の外側面に当接される両端縁に粘着材が帯状に積層されるとともに、幅方向に切断される予定領域に粘着材が積層されない非粘着部が設けられた包装用フィルムが記載されている。
【０００６】
特許文献１に係る包装用フィルムは、ロール状に巻回されたものに適用され、ロールから引出され切断刃によってロールからの引出し方向と直交する幅方向に切断される際に、粘着材が包装装置の一部である切断刃に接着するのを防止しようとするものである。
【先行技術文献】
【特許文献】
【０００７】
【特許文献１】特開２００１−３０１８１２号公報
【考案の概要】
【考案が解決しようとする課題】
【０００８】
特許文献１に係る包装用フィルムでは、切断後に手動で内容物が盛込まれた容器の外側面に貼着する際に、手指に粘着材が付着しないように注意しながら、内容物に被せる作業と容器の外側面に押付ける作業とを連続的に行わなければならないため、包装作業が面倒であるという問題点がある。
【０００９】
本考案は、このような問題点を考慮してなされたもので、手動での包装作業を容易にすることのできる包装用フィルムを提供することを課題とする。
【課題を解決するための手段】
【００１０】
前述の課題を解決するため、本考案に係る包装用フィルムは、実用新案登録請求の範囲の各請求項に記載の手段を採用する。
【００１１】
即ち、請求項１では、容器の外側面に当接される両端縁に粘着材が帯状に積層されロール状に巻回された包装用フィルムにおいて、粘着材は内側部分と外側部分とに分離され、粘着材の内側部分はロールからの引出し方向と直交する幅方向に切断される切断端付近に両端縁の縁辺よりも幅方向に６〜８ｍｍの間隔を介して配置され、粘着材の外側部分は内側部分の間に両端縁の縁辺よりも幅方向に１〜２ｍｍの間隔を介して配置されていることを特徴とする。
【００１２】
この手段では、粘着材の内側部分に接触しないように端縁を手指で掴んで内容物に被せる作業を行い、そのまま端縁を掴んでいる手指の腹で外側部分（裏面）を容器の外側面に押付ける作業を行うことで、容器の外側面に確実に貼着することができる。
【００１３】
また、請求項２では、請求項１の包装用フィルムにおいて、粘着材は内側部分と外側部分との少なくとも一部が縁辺と平行な共通線上に配置されていることを特徴とする。
【００１４】
この手段では、粘着材の内側部分と外側部分との少なくとも一部が縁辺と平行な共通線上に配置されることで、縁辺からの間隔の異なる内側部分と外側部分とに縁辺と平行な共通の直線状の貼着ラインが形成されることになる。
【００１５】
また、請求項３では、請求項１または２の包装用フィルムにおいて、粘着材の内側部分はロールからの引出し方向の前方側の切断端寄りに積層が欠除された欠落部分が設けられていることを特徴とする。
【００１６】
この手段では、粘着材の内側部分に欠落部分が設けられることで、内側部分の縁辺からの間隔が拡大された格好となる。
【考案の効果】
【００１７】
本考案に係る包装用フィルムは、粘着材の内側部分に接触しないように端縁を手指で掴んで内容物に被せる作業を行い、そのまま端縁を掴んでいる手指の腹で外側部分（裏面）を容器の外側面に押付ける作業を行うことで、容器の外側面に確実に貼着することができるため、手動での包装作業が容易になる。
【００１８】
さらに、請求項２として、粘着材の内側部分と外側部分との少なくとも一部が縁辺と平行な共通線上に配置されることで、縁辺からの間隔の異なる内側部分と外側部分とに縁辺と平行な共通の直線状の貼着ラインが形成されることになるため、貼着強度が強化される効果がある。
【００１９】
さらに、請求項３として、粘着材の内側部分に欠落部分が設けられることで、内側部分の縁辺からの間隔が拡大された格好となるため、ロールからの引出し先端がよれていたりしても、ロールからの引出しの際に包装装置の引出し爪の粘着材（内側部分）の接触を回避することができる効果がある。
【図面の簡単な説明】
【００２０】
【図１】本考案に係る包装用フィルムを実施するための形態の第１例の切断された状態の平面図である。
【図２】図１の全体の斜視図である。
【図３】図１の使用状態図である。
【図４】図１の他の使用状態図である。
【図５】図１の包装状態図である。
【図６】本考案に係る包装用フィルムを実施するための形態の第２例の切断された状態の平面図である。
【考案を実施するための形態】
【００２１】
以下、本考案に係る包装用フィルムを実施するための形態を図面に基づいて説明する。
【００２２】
図１〜図５は、本考案に係る包装用フィルムを実施するための形態の第１例を示すものである。
【００２３】
第１例では、果物からなる内容物が盛込まれた容器Ｔに使用するのに好適なものを示してある。
【００２４】
第１例は、図１，図２に示すように、フィルム本体１、粘着材２，剥離材３で構成されている。
【００２５】
フィルム本体１は、長尺状の合成樹脂フィルムからなるもので、コアレスのロール状に巻回されている。このフィルム本体１は、図１に示すように、ロールから引出し方向と直交する幅方向に切断された縁辺１１，切断端１２で囲まれる方形の形状が使用される一単位となる。なお、切断端１２には、ロールからの切断の目印となるマーク１３が設けられている。
【００２６】
粘着材２は、外側部分２１，内側部分２２，欠落部分２３からなるもので、果物からなる内容物が盛込まれる容器Ｔの外側面に当接される両端縁の一面に間欠的な帯状に積層されている。
【００２７】
粘着材２の外側部分２１は、帯状の中央部に位置され、フィルム本体１の縁辺１１から１〜２ｍｍ程度の間隔ａを介して長方形の領域を有するように配置されている。この間隔ａは、フィルム本体１の縁辺１１から粘着材成分が簡単に漏れ出さないようにするために確保されるものである。
【００２８】
粘着材２の内側部分２２は、帯状の外側部分２１を介した両側に位置され、フィルム本体１の縁辺１１から６〜８ｍｍ程度の間隔ｂを介して長方形の領域を有するように配置されている。この間隔ｂは、フィルム本体１の縁辺１１から粘着材２の積層の配置を幅方向に積極的にずらせたものである。
【００２９】
粘着材２の欠落部分２３は、ロールからの引出し方向の前方側の内側部分２２のフィルム本体１の縁辺１１，切断端１２寄りのコーナ部をＬ字形にカットしたように形成されている。このカットは、内側部分２２における粘着材２の積層の配置を幅方向にさらに積極的にずらせた格好となる。
【００３０】
粘着材２の外側部分２１，内側部分２２，欠落部分２３は、図１に示すように、帯状(長方形の幅)が異なるものの、外側部分２１の幅を広くして、フィルム本体１の縁辺１１と平行な共通線Ｌの上に必ず位置して、共通の直線状の貼着ラインを形成するようになっている。また、外側部分２１と内側部分２２とは、フィルム本体１が露出している非粘着材部分１４が設けられて分離されている。内側部分２２とフィルム本体１の切断端１２との間の少しの領域についても、フィルム本体１が露出している非粘着材部分１５が設けられている。非粘着材部分１５については、前述の特許文献１に係る包装用フィルムと同様の作用，効果が奏される。
【００３１】
剥離剤３は、フィルム本体１の反対側面（粘着材２が積層された面の）に帯状に積層され、ロールに巻回されたフィルム本体１と粘着材２との接着を阻止している。
【００３２】
第１例によると、粘着材２の外側部分２１，内側部分２２，欠落部分２３が形状の異なる配列であるものの非粘着材部分１３によって分離独立されているため、印刷技術等を利用して粘着材２をフィルム本体１に簡単に積層することができる。
【００３３】
さらに、図３に示すように、包装装置を使用したフィルム本体１のロールからの引出しの際には、コ字形の引出し爪Ｎがフィルム本体１の縁縁を掴むことになるが、引出し爪Ｎがフィルム本体１の縁辺１１と粘着材２の内側部分２２との間に位置されるため、引出し爪Ｎが粘着材２と接触することはない。従って、フィルム本体１のロールからの引出しの際に、引出し爪Ｎが粘着材２に接着してしまうことはなくなる。また、手動包装においても、手指でフィルム本体１の縁辺１１と粘着材２の内側部分２２との間を掴めば、同様の作用，効果が得られる。
【００３４】
さらに、図４に示すように、フィルム本体１のロールからの引出し先端がよれていたりしても、粘着材２の欠落部分２３が内側部分２２の積層の配置を幅方向にさらに積極的にずらせた格好となっているため、手指や引出し爪Ｎの粘着材２への接触を確実に防止することができるため、ロールからの引出しの際に粘着材２の手指や引出し爪Ｎへの接着をより確実に防止することができる。なお、フィルム本体１のロールからの引出し先端がよれることは、自動包装装置においてよく見られる現象である。
【００３５】
第１例でフィルム本体１を容器Ｔに手動で貼着する際には、手指の先でフィルム本体１の縁辺１１と粘着材２の内側部分２２との間を掴み、手指の腹で粘着材２の外側部分２１（裏面）を容器Ｔに押付けるようにすると、容器Ｔの外側面に確実に貼着することができ、手動での包装作業が容易になる。
【００３６】
第１例でフィルム本体１が容器Ｔに貼着されると、図５に示すように、粘着材２の外側部分２１，内側部分２２が上下方向において貼着位置Ａ，Ｂが異なるものの共通線Ｌで共通の直線状の貼着ラインを構成しているため、フィルム本体１が容器Ｔから簡単に剥離することはない。また、粘着材２の外側部分２１，内側部分２２が上下方向において貼着位置Ａ，Ｂが異なることは、フィルム本体１の容器Ｔのフランジを超えることによる傾斜に対応した確実な貼着を可能にする。また、粘着材２の外側部分２１がフィルム本体１の縁辺１１に近接されているため、貼着されたフィルム本体１が容器Ｔから必要以上にまくれ上がるようなことはない。
【００３７】
図６は、本考案に係る包装用フィルムを実施するための形態の第２例を示すものである。
【００３８】
第２例は、粘着材２の欠落部分２３をロールからの引出し方向の後方側の内側部分２２にも設けている。
【００３９】
第２例によると、ロールから引出されたフィルム本体１が大きくよれた場合にも対応することがきる。
【００４０】
以上、図示した各例の外に、粘着材２の外側部分２１，内側部分２２を複数に分離することも可能である。
【産業上の利用可能性】
【００４１】
本考案に係る包装用フィルムは、繊細な電子デバイス等の包装等にも利用が可能である。
【符号の説明】
【００４２】
１            フィルム本体
１１          縁辺
１２          切断端
２            粘着材
２１          外側部分
２２          内側部分
２３          欠落部分
Ｔ            容器
【図１】
0003201663.tif 000003
【図２】
0003201663.tif 000004
【図３】
0003201663.tif 000005
【図４】
0003201663.tif 000006
【図５】
0003201663.tif 000007
【図６】
0003201663.tif 000008